(57)【要約】    【課題】従来のスペーサーは、本体のかぶり寸法にかかわらず、キャッチャーの脚がどれだけ埋没しているかにより、かぶり寸法が変わってくるので、かぶり寸法が外観上確認できなかった。    【構成】本発明の鉄筋コンクリート施工用スペーサー１０は、本体１１およびキャッチャー１２を有する。本体１１は、セメント系の材料で形成され、コンクリートの打設の厚みを規定するために所定のかぶり寸法Ｈを有する。キャッチャー１２は、鉄筋２と嵌合するための受止め凹部１４と、受止め凹部１４から横方向両側へ張り出した一対の脚１７とを含む。キャッチャー１２は、上記一対の脚１７が本体１１の一表面に当接され、その上に本体１１を形成するセメント系材料の一部が肉盛りされること１９によって、本体１１に取り付けられている。【選択図】            図３
2005325545.tif 000002
【特許請求の範囲】
【請求項１】
本体および本体に取り付けられたキャッチャーを有し、
上記本体は、セメント系の材料で形成され、コンクリートの打設の厚みを規定するために所定のかぶり寸法を有するものであり、
上記キャッチャーは、鉄筋と嵌合するための受止め凹部と、受止め凹部から横方向両側へ張り出した少なくとも一対の脚とを含み、
上記キャッチャーは、上記一対の脚が本体の一表面に当接され、その上に本体を形成するセメント系材料の一部が肉盛りされることによって本体に取り付けられていることを特徴とする、鉄筋コンクリート施工用スペーサー。
【請求項２】
上記キャッチャーは、鋼板が曲成され、上記受止め凹部が弾性を有するように形成されていることを特徴とする、請求項１記載の鉄筋コンクリート用施工用スペーサー。
【請求項３】
上記鋼板の一部に切れ目が形成され、切れ目に沿ってその一部が外方へ折り曲げられることにより上記脚が形成されていることを特徴とする、請求項２記載の鉄筋コンクリート施工用スペーサー。
【請求項４】
上記受止め凹部の底よりも下方へ突出しないように、上記脚は横方向へ張り出していることを特徴とする、請求項１〜３のいずれかに記載の鉄筋コンクリート施工用スペーサー。
【請求項５】
上記キャッチャーには、受止め凹部に入った鉄筋が抜け出ないように係止するための爪が備えられていることを特徴とする、請求項１〜４のいずれかに記載の鉄筋コンクリート施工用スペーサー。
【請求項６】
上記爪は、鋼板の一部に切れ目が形成され、切れ目に沿って鋼板の一部が曲げられることにより形成されていることを特徴とする、請求項５記載の鉄筋コンクリート施工用スペーサー。
【請求項７】
上記キャッチャーには、本体のかぶり寸法を表わす着色が施されていることを特徴とする、請求項１〜６のいずれかに記載の鉄筋コンクリート施工用スペーサー。
【請求項８】
鉄筋コンクリート施工用スペーサーのキャッチャーであって、鉄筋と嵌合するための受止め凹部と、受止め凹部から横方向両側へ張り出した少なくとも一対の脚とを含むことを特徴とするキャッチャー。
【請求項９】
上記一対の脚は、受止め凹部の底よりも下方へ突出しないように横方向へ張り出していることを特徴とする、請求項８記載のキャッチャー。
【発明の詳細な説明】
【技術分野】
【０００１】
この発明は、鉄筋コンクリート建造物を作る際に使用し、鉄筋を被うコンクリートの打設の厚みを所定の厚みに規定するための鉄筋コンクリート施工用スペーサーおよび該スペーサー用キャッチャーに関する。
【背景技術】
【０００２】
鉄筋コンクリート建造物では、鉄筋はコンクリート内に埋没しており、鉄筋はコンクリートによって所定の厚みで完全に被われていることが不可欠である。鉄筋がコンクリートにより覆われていることにより、塩害、透水、赤錆の発生原因等を防止できるからである。
このため、従来より、鉄筋コンクリート施工時には、鉄筋にスペーサーが取り付けられ、スペーサーによって鉄筋を被うコンクリートの打設の厚みを規定するという工法が採用されている。
【０００３】
図１は、従来の鉄筋コンクリート施工用スペーサーの一例である。このスペーサー１は、鉄筋２と壁面３との間隔を所定の寸法に保つために機能する。鉄筋２にスペーサー１が取り付けられた状態で鉄筋２の周囲にコンクリートが打設されることによって、鉄筋２およびスペーサー１の周囲はコンクリートで充填される。この場合、鉄筋２と壁面３との間隔Ｄ１は、鉄筋２に対して一定間隔毎に取り付けられたスペーサー１によって規定されているから、どの場所においても一定間隔Ｄ１に保たれる。換言すれば、鉄筋２の表面は、コンクリートによって一定の厚みＤ１で被われることになり、塩害、透水、赤錆等の生じない安全性の高いコンクリート建造物を作ることができる。
【０００４】
従来のスペーサー１は、コンクリート材料でできた本体４に鋼板等のキャッチャー５が取り付けられた構成である。キャッチャー５は鉄筋２に嵌合されて、鉄筋２を本体４に固定する役割を果たす。本体４は、鉄筋２と壁面３との間隔を規定する役割を果たす。この場合において、鉄筋２と壁面３との間を埋めるコンクリートの厚み、すなわちかぶり寸法は、見かけ上、本体４の寸法Ｄ１である。
【先行技術文献１】
【０００５】
意匠登録第１１０２８７７号公報
【発明の開示】
【発明が解決しようとする課題】
【０００６】
ところが、従来のスペーサー１は、本体４にキャッチャー５を取り付けるために、キャッチャー５には脚６が備えられているが、この脚６が本体４内に埋没されている。（図１のＡ−Ａ断面である図２参照）このため、厳密に考えると、壁面３から最も近い金属物までの距離は、鉄筋２までの距離Ｄ１ではなく、脚６の先端までの距離Ｄ２である。（図１参照）それゆえ、本体４のかぶり寸法がたとえＤ１であっても、本体４内に埋没している脚６の埋没寸法を差し引いた残り寸法Ｄ２を、厳密な意味でのかぶり寸法とすべきである、との行政指導があった。
【０００７】
すなわち、従来のスペーサーは、本体４のかぶり寸法にかかわらず、キャッチャー５の脚がどれだけ埋没しているかにより、かぶり寸法が変わってくるので、かぶり寸法が外観上確認できないという課題があった。
また、キャッチャー５の脚６の埋没寸法が大きいと、本体４の寸法が大きいにもかかわらず、かぶり寸法が小さいといった問題もあった。
【０００８】
この発明は、かかる背景のもとになされたもので、かぶり寸法が外観上容易に確認できる鉄筋コンクリート施工用スペーサーを提供することを目的とする。
またこの発明は、鉄筋コンクリート施工時に、必要なかぶり寸法を的確に確保できる改良されたスペーサーを提供することを目的とする。
【課題を解決するための手段】
【０００９】
請求項１記載の発明は、本体および本体に取り付けられたキャッチャーを有し、上記本体は、セメント系の材料で形成され、コンクリートの打設の厚みを規定するために所定のかぶり寸法を有するものであり、上記キャッチャーは、鉄筋と嵌合するための受止め凹部と、受止め凹部から横方向両側へ張り出した少なくとも一対の脚とを含み、上記キャッチャーは、上記一対の脚が本体の一表面に当接され、その上に本体を形成するセメント系材料の一部が肉盛りされることによって本体に取り付けられていることを特徴とする、鉄筋コンクリート施工用スペーサーである。
【００１０】
請求項２記載の発明は、上記キャッチャーは、鋼板が曲成され、上記受止め凹部が弾性を有するように形成されていることを特徴とする、請求項１記載の鉄筋コンクリート用施工用スペーサーである。
請求項３記載の発明は、上記鋼板の一部に切れ目が形成され、切れ目に沿ってその一部が外方へ折り曲げられることにより上記脚が形成されていることを特徴とする、請求項２記載の鉄筋コンクリート施工用スペーサーである。
【００１１】
請求項４記載の発明は、上記受止め凹部の底よりも下方へ突出しないように、上記脚は横方向へ張り出していることを特徴とする、請求項１〜３のいずれかに記載の鉄筋コンクリート施工用スペーサーである。
請求項５記載の発明は、上記キャッチャーには、受止め凹部に入った鉄筋が抜け出ないように係止するための爪が備えられていることを特徴とする、請求項１〜４のいずれかに記載の鉄筋コンクリート施工用スペーサーである。
【００１２】
請求項６記載の発明は、上記爪は、鋼板の一部に切れ目が形成され、切れ目に沿って鋼板の一部が曲げられることにより形成されていることを特徴とする、請求項５記載の鉄筋コンクリート施工用スペーサーである。
請求項７記載の発明は、上記キャッチャーには、本体のかぶり寸法を表わす着色が施されていることを特徴とする、請求項１〜６のいずれかに記載の鉄筋コンクリート施工用スペーサーである。
【００１３】
請求項８記載の発明は、鉄筋コンクリート施工用スペーサーを形成するためのキャッチャーであって、鉄筋と嵌合するための受止め凹部と、受止め凹部から横方向両側へ張り出した少なくとも一対の脚とを含むことを特徴とするキャッチャーである。
請求項９記載の発明は、上記一対の脚は、受止め凹部の底よりも下方へ突出しないように横方向へ張り出していることを特徴とする、請求項８記載のキャッチャーである。
【発明の効果】
【００１４】
この発明によれば、キャッチャーは、受止め凹部から横方向両側へ張り出した脚を有している。このため、キャッチャーが本体に取り付けられたときに、脚は本体内に埋没されていない。すなわち、受止め凹部から横方向へ張り出した脚が本体に固定されるので、本体内へは脚が埋没しておらず、かぶり寸法は脚によって減少されることがない。
請求項２のように、キャッチャーは鉄板により作り、受止め凹部が弾性を有するようにすれば、キャッチャーを鉄筋に嵌める際に、その取り付けが容易でかつ確実に行える。
【００１５】
請求項３記載のように、１枚の鋼板を加工してキャッチャーの受止め凹部および脚を形成することにより、安価にキャッチャーを製造できる。
脚は、請求項４記載のように、受止め凹部の底よりも下方へ突出しないようにすれば、受止め凹部の底から計った本体の寸法がかぶり寸法となるから、かぶり寸法を外観上容易に確認することができる。
【００１６】
請求項５記載のように、受止め凹部に、鉄筋の抜け止め用の爪を設けることにより、キャッチャーを鉄筋に嵌めた際に、キャッチャー、すなわちスペーサーが鉄筋から容易に外れることがなく、施工に適する。
請求項６記載のように、爪は、キャッチャーを構成する鋼板の一部を折り曲げ加工する等により形成するのが、安価な製造にとって有利である。
【００１７】
請求項７記載のように、キャッチャーにかぶり寸法を表わす着色を施すことにより、極めて容易に必要なかぶり寸法のスペーサーを識別することができる。
請求項８、９のキャッチャーを用いれば、本発明の目的を達成するスペーサーを容易に作ることができる。
【発明を実施するための最良の形態】
【００１８】
図３〜図６は、この発明の好ましい一実施形態を示す図であり、図３は正面図、図４は側面図、図５は平面図、図６は底面図である。
図３〜図６を参照して、この実施形態に係る鉄筋コンクリート施工用のスペーサー１０は、本体１１およびキャッチャー１２を有する。本体１１は、セメント系の材料で形成されている。すなわち、セメント系材料で形成されたコンクリートやモルタルによって構成されている。そして、スペーサーとしての所定のかぶり寸法Ｈを有している。ここに、かぶり寸法Ｈとは、本体１１のキャッチャーが取り付けられる一面（たとえば上面）と、その面と対向位置にある他面（たとえば下面）との間隔をいう。本体１１は、この実施形態では略円柱状で、下方の直径がやや小さく、底面に半円形の３つの足１３を備えた形状である。なお、この発明に係るスペーサーの本体形状は、この実施形態の形状に限定されるものではなく、任意の形状でよい。
【００１９】
キャッチャー１２は、たとえば厚みが約１ｍｍのＳＳ鋼材に亜鉛めっき処理をした板状体が所定の型にくり抜かれ、湾曲され、折り曲げられることによって形成されている。キャッチャー１２には、鉄筋２と嵌合するための受止め凹部１４と、受止め凹部１４に鉄筋２を嵌める際に、鉄筋２を案内するための一対のガイド１５と、一対のガイド１５に一体的に設けられた二対の爪１６と、一対の脚１７とを有している。これら各構成要素は、鋼板に切れ目が付けられ（鋼板が所定の形状にくり抜かれ）、切れ目に沿って折り曲げられる等により形成されている。つまり、１枚の鋼板が加工されて構成されている。従って、複数の部材を溶接等することにより作られていないため、キャッチャー１２は安価に製造できる。
【００２０】
この実施形態では、受止め凹部１４の円弧状に湾曲した底１８と、脚１７の最下方位置とが一直線上に並ぶように構成されている。すなわち、受止め凹部１４よりも脚１７は下方へ突出しておらず、脚１７が本体１１内に埋没しない形状にされている。
脚１７は、キャッチャー１２を構成する鋼板の前後方向中央部に切れ目が形成され、中央部が左右両側へ開くように、折り曲げられることにより構成されている。脚１７は、正面視でその先端が上方へ反るように曲成されているが、この形状に限定されるわけではない。要は、脚１７は、受止め凹部１４の底１８と同じ高さ位置において、左右両側へ張り出した形状であればよい。
【００２１】
また、この実施形態では、左右一対の脚１７が示されているが、これに限定されない。脚は、二対以上あってもよいし、実施形態のような幅の狭いものではなく、もっと幅広（前後方向に幅が広いもの）であってもよい。
キャッチャー１２は、本体１１の上面に受止め凹部１４の底１８および脚１７が当接するように配置され、その状態で、脚１７の上にセメント系材料の一部が肉盛りされることによって本体１に取り付けられている。すなわち、本体１の上面に配置された脚１７を覆うようにセメント等の肉盛り部１９が設けられることにより、キャッチャー１２は本体１１の上面にしっかりと取り付けられている。なお、肉盛り部１９は、図では本体１１の上面において、鉄筋２の取り付けられる方向に端から端まで延びているが、このように端から端まで延びていなくてもよい。肉盛り部１９は、脚１７を本体１の上面に取り付けるために必要最小限の領域に設けられていてもよい。
【００２２】
この結果、本体１１のかぶり寸法Ｈは、本体１１の最下面から、本体１１の上面（換言すればキャッチャー１２の受止め凹部１４の底１８）までの寸法となっている。
よって、スペーサー１０のかぶり寸法Ｈは、本体１１の最下面から上面までの寸法であるから外観上容易に確認できる。
キャッチャー１２に備えられた爪１６は、受止め凹部１４に鉄筋２が収容されたときに、鉄筋２が受止め凹部１４から外れるのを防止する。爪１６は、側面視で、キャッチャー１２の左右両側にそれぞれ一対形成されている。それゆえ、鉄筋２の長さ方向に間隔をあけて二対の爪が鉄筋２の外れを防止するので、鉄筋２は受止め凹部１４内で確実に保持される。
【００２３】
この発明は、以上説明した実施形態に限定されず、特許請求の範囲に記載の範囲内において種々の変更が可能である。
【図面の簡単な説明】
【００２４】
【図１】従来の鉄筋コンクリート施工用スペーサーの構成を説明するための図である。
【図２】従来の鉄筋コンクリート施工用スペーサーの構成を説明するための、図１のＡ−Ａに沿う断面図である。
【図３】この発明の一実施形態に係る鉄筋コンクリート施工用スペーサーの構成を示す正面図である。
【図４】この発明の一実施形態に係る鉄筋コンクリート施工用スペーサーの側面図である。
【図５】この発明の一実施形態に係る鉄筋コンクリート施工用スペーサーの平面図である。
【図６】この発明の一実施形態に係る鉄筋コンクリート施工用スペーサーの底面図である。
【符号の説明】
【００２５】
２      鉄筋
１０      スペーサー
１１      本体
１２      キャッチャー  
１３      足
１４      受止め凹部
１５      ガイド
１６      爪
１７      脚
１８      底
１９      肉盛り部
【図１】
2005325545.tif 000003
【図２】
2005325545.tif 000004
【図３】
2005325545.tif 000005
【図４】
2005325545.tif 000006
【図５】
2005325545.tif 000007
【図６】
2005325545.tif 000008